(57)【要約】【課題】セタン価に拘わらず、未燃の燃料の排出を低減する。【解決手段】燃料噴射方法は、バーナ装置を予熱し（Ｓ２００）、予め定められた第１噴射量で燃料の噴射を開始し（Ｓ２０８）、バーナ温度検出部が検出した温度が予め定められた第１閾値以上であるか否か判定し（Ｓ２１０）、バーナ温度検出部が検出した温度が第１閾値以上となってからの経過時間を計り（Ｓ２５２）、経過時間ｔ１が予め定められた待機時間を超えると（Ｓ２５２におけるＹＥＳ）、第１噴射量より多い第２噴射量で燃料を噴射する（Ｓ２１２）。【選択図】図７
2014047699.tif 000002
【特許請求の範囲】
【請求項１】
エンジンから排出された排気ガスに含まれる粒子状物質を捕集するパティキュレートフィルタと、該パティキュレートフィルタの上流に設けられ触媒を介した酸化反応によって該排気ガスを昇温する酸化触媒部と、該酸化触媒部の上流に設けられ該触媒が活性温度となるように排気流路から該排気ガスの一部を導入し燃料を用いて燃焼し、燃焼した該排気ガスの一部を該排気流路に導出するバーナ装置と、該バーナ装置の温度を検出するバーナ温度検出部と、を備えた排気システムにおいて、該燃料を噴射する燃料噴射方法であって、
前記バーナ装置を予熱し、
予め定められた第１噴射量で燃料の噴射を開始し、
前記バーナ温度検出部が検出した温度が予め定められた第１閾値以上であるか否か判定し、
前記バーナ温度検出部が検出した温度が前記第１閾値以上となってからの経過時間を計り、
前記経過時間が予め定められた待機時間を超えると、前記第１噴射量より多い第２噴射量で燃料を噴射することを特徴とする燃料噴射方法。
【請求項２】
前記待機時間は、前記燃料のセタン価に基づいて決定されることを特徴とする請求項１に記載の燃料噴射方法。
【請求項３】
前記排気システムは、前記排気流路における前記バーナ装置より下流の任意の位置の温度を検出する流路温度検出部をさらに備え、
前記セタン価は、前記流路温度検出部が検出した温度の推移に基づいて推定されることを特徴とする請求項２に記載の燃料噴射方法。
【請求項４】
エンジンから排出された排気ガスに含まれる粒子状物質を捕集するパティキュレートフィルタと、該パティキュレートフィルタの上流に設けられ触媒を介した酸化反応によって該排気ガスを昇温する酸化触媒部と、該酸化触媒部の上流に設けられ該触媒が活性温度となるように排気流路から該排気ガスの一部を導入し燃料を用いて燃焼し、燃焼した該排気ガスの一部を該排気流路に導出するバーナ装置と、該排気流路における該バーナ装置より下流の任意の位置の温度を検出する流路温度検出部と、を備えた排気システムにおいて、該燃料を噴射する燃料噴射方法であって、
前記バーナ装置を予熱し、
予め定められた第１噴射量で燃料の噴射を開始し、
前記流路温度検出部が検出した温度が予め定められた第２閾値以上であるか否か判定し、
前記流路温度検出部が検出した温度が前記第２閾値未満の間、前記第１噴射量で燃料を噴射し、該第２閾値以上になると、該第１噴射量より多い第２噴射量で燃料を噴射することを特徴とする燃料噴射方法。
【請求項５】
前記バーナ装置は、一次燃料供給部が設けられた一次燃焼室と、該一次燃焼室の下流に設けられ、該一次燃料供給部より燃料の定格噴射量が多い二次燃料供給部が設けられた二次燃焼室とを有し、
前記一次燃料供給部は、噴射量を前記第１噴射量から前記第２噴射量に切り換えて噴射し、
前記二次燃料供給部は、前記第１噴射量から前記第２噴射量に切り換わるタイミングで、燃料の噴射を開始することを特徴とする請求項１から４のいずれか１項に記載の燃料噴射方法。
【請求項６】
エンジンから排出された排気ガスに含まれる粒子状物質を捕集するパティキュレートフィルタと、
前記パティキュレートフィルタの上流に設けられ触媒を介した酸化反応によって前記排気ガスを昇温する酸化触媒部と、
前記酸化触媒部の上流に設けられ前記触媒が活性温度となるように排気流路から前記排気ガスの一部を導入し燃料を用いて燃焼し、燃焼した該排気ガスの一部を該排気流路に導出するバーナ装置と、
前記バーナ装置の温度を検出するバーナ温度検出部と、
予め定められた第１噴射量で燃料の噴射を開始し、前記バーナ温度検出部が検出した温度が予め定められた第１閾値以上であるか否か判定し、該バーナ温度検出部が検出した温度が該第１閾値以上となってからの経過時間を計り、該経過時間が予め定められた待機時間を超えると、該第１噴射量より多い第２噴射量で燃料を噴射する燃料供給部と、
を備えたことを特徴とする排気システム。
【請求項７】
エンジンから排出された排気ガスに含まれる粒子状物質を捕集するパティキュレートフィルタと、
前記パティキュレートフィルタの上流に設けられ触媒を介した酸化反応によって前記排気ガスを昇温する酸化触媒部と、
前記酸化触媒部の上流に設けられ前記触媒が活性温度となるように排気流路から前記排気ガスの一部を導入し燃料を用いて燃焼し、燃焼した該排気ガスの一部を該排気流路に導出するバーナ装置と、
前記排気流路における前記バーナ装置より下流の任意の位置の温度を検出する流路温度検出部と、
予め定められた第１噴射量で燃料の噴射を開始し、前記流路温度検出部が検出した温度が予め定められた第２閾値以上であるか否か判定し、該流路温度検出部が検出した温度が該第２閾値未満の間、該第１噴射量で燃料を噴射し、該第２閾値以上になると、該第１噴射量より多い第２噴射量で燃料を噴射する燃料供給部と、
を備えたことを特徴とする排気システム。
【発明の詳細な説明】
【技術分野】
【０００１】
本発明は、排気流路を流れる排気ガスに、バーナ装置で昇温された気体を混合し、触媒の酸化を補助する排気システム、および、その排気システムにおいてバーナ装置で燃料を噴射する燃料噴射方法に関する。
【背景技術】
【０００２】
エンジンからの排気ガス中において、さらに燃料を燃焼させる場合がある。例えば、ディーゼルエンジンにおける、排気ガスに含まれる煤等の粒子状物質（ＰＭ：Particulate Matter）を除去するパティキュレートフィルタの再生処理等がそれに該当する（例えば、特許文献１）。
【０００３】
かかる再生処理においては、排気ガスを、触媒を介した酸化反応で昇温している。かかる触媒を活性温度まで迅速に上昇させるため、別途ヒータで空気を昇温して排気ガスに導入したり（例えば、特許文献２）、排気流路中に燃料を噴射する（例えば、特許文献３）技術が知られている。
【先行技術文献】
【特許文献】
【０００４】
【特許文献１】特開平５−２２２９１３号公報
【特許文献２】特開２００５−３２０８８０号公報
【特許文献３】特開２００７−１５４７７２号公報
【発明の概要】
【発明が解決しようとする課題】
【０００５】
触媒の昇温を補助する熱源としては、上述したヒータや燃料噴射機構の他、排気ガスを昇温するバーナ装置がある。バーナ装置は、排気ガスの一部をバーナ装置自体の燃焼室に導入し、空気等と混合して燃焼、昇温し、昇温した排気ガスを、排気ガスの元の流路に返す。こうすることで、下流の触媒を活性温度まで迅速に上昇させることができる。
【０００６】
このようなバーナ装置では、例えば、バーナ装置の外壁を予熱し、排気ガスの一部を空気等と混合して燃焼室に導入し、燃焼室で燃料を噴射して燃焼、昇温するといった処理を順次実行することで運転を開始する。また、燃焼室では、運転開始後、少量の燃料のみが噴射され、燃焼室の温度が高まり着火が確認されると定格の燃料が噴射される。
【０００７】
しかし、セタン価が低い燃料やバイオ燃料での運転では、低温環境下において昇温速度が相対的に低く、バーナ装置の運転開始時には、燃焼しきれていない未燃の燃料が排気ガス中に含まれることもあった。また、昇温速度はセタン価によって異なるため、未燃の燃料を排出しないようバーナ装置内で完結的に制御するのは困難であった。
【０００８】
本発明は、このような課題に鑑み、セタン価に拘わらず、未燃の燃料の排出を低減することが可能な燃料噴射方法および排気システムを提供することを目的としている。
【課題を解決するための手段】
【０００９】
上記課題を解決するために、エンジンから排出された排気ガスに含まれる粒子状物質を捕集するパティキュレートフィルタと、パティキュレートフィルタの上流に設けられ触媒を介した酸化反応によって排気ガスを昇温する酸化触媒部と、酸化触媒部の上流に設けられ触媒が活性温度となるように排気流路から排気ガスの一部を導入し燃料を用いて燃焼し、燃焼した排気ガスの一部を排気流路に導出するバーナ装置と、バーナ装置の温度を検出するバーナ温度検出部と、を備えた排気システムにおいて、燃料を噴射する、本発明の燃料噴射方法は、バーナ装置を予熱し、予め定められた第１噴射量で燃料の噴射を開始し、バーナ温度検出部が検出した温度が予め定められた第１閾値以上であるか否か判定し、バーナ温度検出部が検出した温度が第１閾値以上となってからの経過時間を計り、経過時間が予め定められた待機時間を超えると、第１噴射量より多い第２噴射量で燃料を噴射することを特徴とする。
【００１０】
待機時間は、燃料のセタン価に基づいて決定されてもよい。
【００１１】
排気システムは、排気流路におけるバーナ装置より下流の任意の位置の温度を検出する流路温度検出部をさらに備え、セタン価は、流路温度検出部が検出した温度の推移に基づいて推定されてもよい。
【００１２】
上記課題を解決するために、エンジンから排出された排気ガスに含まれる粒子状物質を捕集するパティキュレートフィルタと、パティキュレートフィルタの上流に設けられ触媒を介した酸化反応によって排気ガスを昇温する酸化触媒部と、酸化触媒部の上流に設けられ触媒が活性温度となるように排気流路から排気ガスの一部を導入し燃料を用いて燃焼し、燃焼した排気ガスの一部を排気流路に導出するバーナ装置と、排気流路におけるバーナ装置より下流の任意の位置の温度を検出する流路温度検出部と、を備えた排気システムにおいて、燃料を噴射する、本発明の他の燃料噴射方法は、バーナ装置を予熱し、予め定められた第１噴射量で燃料の噴射を開始し、流路温度検出部が検出した温度が予め定められた第２閾値以上であるか否か判定し、流路温度検出部が検出した温度が第２閾値未満の間、第１噴射量で燃料を噴射し、第２閾値以上になると、第１噴射量より多い第２噴射量で燃料を噴射することを特徴とする。
【００１３】
バーナ装置は、一次燃料供給部が設けられた一次燃焼室と、一次燃焼室の下流に設けられ、一次燃料供給部より燃料の定格噴射量が多い二次燃料供給部が設けられた二次燃焼室とを有し、一次燃料供給部は、噴射量を第１噴射量から第２噴射量に切り換えて噴射し、二次燃料供給部は、第１噴射量から第２噴射量に切り換わるタイミングで、燃料の噴射を開始してもよい。
【００１４】
上記課題を解決するために、本発明の排気システムは、エンジンから排出された排気ガスに含まれる粒子状物質を捕集するパティキュレートフィルタと、パティキュレートフィルタの上流に設けられ触媒を介した酸化反応によって排気ガスを昇温する酸化触媒部と、酸化触媒部の上流に設けられ触媒が活性温度となるように排気流路から排気ガスの一部を導入し燃料を用いて燃焼し、燃焼した排気ガスの一部を排気流路に導出するバーナ装置と、バーナ装置の温度を検出するバーナ温度検出部と、予め定められた第１噴射量で燃料の噴射を開始し、バーナ温度検出部が検出した温度が予め定められた第１閾値以上であるか否か判定し、バーナ温度検出部が検出した温度が第１閾値以上となってからの経過時間を計り、経過時間が予め定められた待機時間を超えると、第１噴射量より多い第２噴射量で燃料を噴射する燃料供給部と、を備えたことを特徴とする。
【００１５】
上記課題を解決するために、本発明の他の排気システムは、エンジンから排出された排気ガスに含まれる粒子状物質を捕集するパティキュレートフィルタと、パティキュレートフィルタの上流に設けられ触媒を介した酸化反応によって排気ガスを昇温する酸化触媒部と、酸化触媒部の上流に設けられ触媒が活性温度となるように排気流路から排気ガスの一部を導入し燃料を用いて燃焼し、燃焼した排気ガスの一部を排気流路に導出するバーナ装置と、排気流路におけるバーナ装置より下流の任意の位置の温度を検出する流路温度検出部と、予め定められた第１噴射量で燃料の噴射を開始し、流路温度検出部が検出した温度が予め定められた第２閾値以上であるか否か判定し、流路温度検出部が検出した温度が第２閾値未満の間、第１噴射量で燃料を噴射し、第２閾値以上になると、第１噴射量より多い第２噴射量で燃料を噴射する燃料供給部と、を備えたことを特徴とする。
【発明の効果】
【００１６】
本発明によれば、セタン価に拘わらず、未燃の燃料の排出を低減することが可能となる。
【図面の簡単な説明】
【００１７】
【図１】ディーゼルエンジンの排気システムを説明するための説明図である。
【図２】バーナ装置の構造を説明するための説明図である。
【図３】ディーゼルエンジンのアイドル時における必要空気量を比較した説明図である。
【図４】セタン価が高い場合の燃料噴射タイミングを説明するためのフローチャートである。
【図５】セタン価が高い場合の燃料噴射タイミングを説明するためのタイミングチャートである。
【図６】セタン価が低い場合の燃料噴射タイミングを説明するためのタイミングチャートである。
【図７】セタン価が低い場合の他の燃料噴射タイミングを説明するためのフローチャートである。
【図８】セタン価が低い場合の他の燃料噴射タイミングを説明するためのタイミングチャートである。
【図９】セタン価が低い場合の他の燃料噴射タイミングを説明するためのフローチャートである。
【図１０】セタン価が低い場合の他の燃料噴射タイミングを説明するためのタイミングチャートである。
【発明を実施するための形態】
【００１８】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（排気システム）
図１は、ディーゼルエンジン１の排気システムを説明するための説明図である。図１（ａ）に示すように、ディーゼルエンジン１はレシプロエンジンであり、具体的に、ピストンによってシリンダ内の空気を圧縮して高温高圧化するとともに、燃料タンク２に蓄えられた、軽油、重油等の燃料を燃料ポンプ３や噴射ポンプ４で昇圧して、その高温高圧化された空気中に噴射することで爆発を起こさせ、その爆発によって生じるエネルギーを動力に変える。過給機５は、ディーゼルエンジン１の排気ガスのエネルギーでタービンを回転し、吸気を圧縮して吸気圧を高めることでエンジン出力を向上させる装置である。
【００２０】
排気流路６は、ディーゼルエンジン１の排気口から排出された排気ガスを外部に排出するための配管で構成され、その流路には、上流側から順に、バーナ装置７、流路温度検出部８、ディーゼル酸化触媒部（ＤＯＣ：Diesel Oxidation Catalyst）９、ディーゼルパティキュレートフィルタ（ＤＰＦ：Diesel Particulate Filter）１０が設けられている。流路温度検出部８は、排気流路６におけるバーナ装置７より下流の任意の位置、本実施形態では、ディーゼル酸化触媒部９の上流に設けられ、排気流路６の温度（ディーゼル酸化触媒部９の入口温度）を検出する。排気システムは、バーナ装置７、流路温度検出部８、酸化触媒部としてのディーゼル酸化触媒部９と、パティキュレートフィルタとしてのディーゼルパティキュレートフィルタ１０とを含んで構成される。以下、ディーゼルパティキュレートフィルタ１０、ディーゼル酸化触媒部９、バーナ装置７の順に、その機能を説明する。
【００２１】
（ディーゼルパティキュレートフィルタ１０）
ディーゼルパティキュレートフィルタ１０は、図１（ｂ）の縦断面図に示すように、セラミックや金属をハニカム構造に形成した多孔体１０ａで構成される。そして、ディーゼルパティキュレートフィルタ１０は、ディーゼルエンジン１の排気ガス（図１（ｂ）中矢印で示す）に含まれる、例えば１０ミクロン以上の大きさの粒子状物質２０を捕集し、排気ガスから粒子状物質２０を分離する。このように粒子状物質２０が分離された排気ガスは外部に放出される。このとき、ディーゼルパティキュレートフィルタ１０に粒子状物質２０が堆積し過ぎると多孔体１０ａが目詰まりを起こすことがある。目詰まりは排気圧の上昇を招き燃費の悪化や出力低下につながる。そこで以下のディーゼル酸化触媒部９が設けられている。
【００２２】
（ディーゼル酸化触媒部９）
ディーゼル酸化触媒部９は、ディーゼルパティキュレートフィルタ１０の上流に設けられ、例えばプラチナ、パラジウム等の触媒で構成される。そして、ディーゼルエンジン１の排気ガス中に含まれる酸素を利用し、未燃の燃料を触媒燃焼（触媒を介した酸化）させることによって排気ガスを昇温する。昇温された排気ガスは、下流のディーゼルパティキュレートフィルタ１０に流れ、ディーゼルパティキュレートフィルタ１０に堆積した粒子状物質２０を燃焼（酸化）して二酸化炭素として排気させ、ディーゼルパティキュレートフィルタ１０の目詰まりを解消する。かかる一連の処理を本実施形態ではフィルタ再生処理という。
【００２３】
このようなフィルタ再生処理は、ディーゼルパティキュレートフィルタ１０の目詰まりが所定の閾値を超えたことを契機とし、その目詰まりがある程度解消されるまで、所望するタイミングで所望する時間実行されるバッチ処理である。しかし、ディーゼル酸化触媒部９は、ディーゼルエンジン１の始動時や低負荷時には、排気ガスの温度が低く酸化が促進される活性温度に達していないことがあり、排気ガスを昇温できず、その下流に位置するディーゼルパティキュレートフィルタ１０において、所望するタイミングでフィルタ再生処理を行うことができない場合がある。そこで、本実施形態では、以下のバーナ装置７を設けている。
【００２４】
（バーナ装置７）
図２は、バーナ装置７の構造を説明するための説明図である。本実施形態では、垂直に交わるＸ軸、Ｙ軸、Ｚ軸を図２に示す通り定義している。バーナ装置７は、気体を昇温し、ディーゼルエンジン１の排気口から排出された排気ガスに加えて、排気ガスの温度を高める。こうして、ディーゼル酸化触媒部９の昇温を補助することができる。すなわち、所望するタイミングでディーゼル酸化触媒部９を活性温度に昇温してフィルタ再生処理を行うことが可能となる。
【００２５】
バーナ装置７の具体的な構成を説明すると、バーナ装置７の外壁５０は、例えば、矩形の筒状に形成され、Ｚ軸に沿った方向の下方端部が排気流路６と連通し、上方端部が閉塞されている。外壁５０の内部には、外壁５０内部をＸ軸方向に区画する第１仕切部材５２が配される。第１仕切部材５２は、例えば、矩形の板材で構成され、その外周側面のうち３つの側面が外壁５０の閉塞面およびＹ軸方向の内周面に固定され、他の１の側面が排気流路６に突出している（保炎板５２ａ）。かかる外壁５０と第１仕切部材５２によって流入路５４が形成される。流入路５４は、排気流路６に対して開口する開口部５４ａを有しており、排気流路６に流れる排気ガスの一部（例えば２０％程度）が、直接、または、排気流路６に突出した保炎板５２ａに衝突して、開口部５４ａから流入路５４に流入する。
【００２６】
外壁５０内部の第１仕切部材５２で区画された空間のうち、Ｘ軸方向の下流側に位置する空間は、さらに、第２仕切部材５６によってＺ軸方向に区画される。第２仕切部材５６は、例えば、矩形の板材で構成され、外周側面が第１仕切部材５２と外壁５０の内周面とに固定されている。第２仕切部材５６で仕切られたＺ軸上方の空間は火炎を生成するための一次燃焼室５８であり、Ｚ軸下方の空間は燃焼を促進させるための二次燃焼室６０である。
【００２７】
気体供給部６２は、例えば、エアポンプで構成され、一次燃焼室５８に排気ガスとは別の気体、本実施形態においては空気を供給し、一次燃焼室５８内における火炎の生成を助ける。気体供給部６２は、エアポンプに限らず、ファン、コンプレッサ等で構成されてもよい。ここで、第１仕切部材５２には、流入路５４から一次燃焼室５８へ貫通する孔５２ｂが設けられており、当該孔５２ｂによって一次燃焼室５８に空気が導かれる。かかる孔５２ｂは、空気の流量を制限する役割も担う。
【００２８】
ただし、一次燃焼室５８に空気のみを導入するとなると、ある程度、空気を昇温しなければならず、また、火炎の生成に要する空気の絶対量が増大する。そこで、本実施形態においては、上記のように排気流路６から流入路５４に排気ガスの一部を流入させ、空気との混合気（以下、単に空気混合気という。）を生成する。そして、かかる空気混合気を一次燃焼室５８に導入する。
【００２９】
図３は、ディーゼルエンジン１のアイドル時における必要空気量を比較した説明図である。図３を参照して理解できるように、排気ガスを利用せず空気のみを導入した場合と比較して、空気に排気ガスを混合すると各エンジン回転数において必要空気量が少なくて済む。
【００３０】
図２に戻って説明すると、第１仕切部材５２には、流入路５４から二次燃焼室６０へ貫通する孔５２ｃが設けられており、当該孔５２ｃによって二次燃焼室６０に排気ガスが導かれる。かかる孔５２ｃは、二次燃焼室６０に導く排気ガスの流量を制限する役割も担う。
【００３１】
さらに、第２仕切部材５６には、一次燃焼室５８から二次燃焼室６０へ貫通する孔５６ａが設けられており、当該孔５６ａによって一次燃焼室５８で燃焼された空気混合気が二次燃焼室６０に導かれる。かかる孔５６ａは、空気混合気の流量を制限する役割も担う。こうして、一次燃焼室５８および二次燃焼室６０における空気混合気の流速が抑制されるため、一次燃焼室５８においては、着火性および保炎性が向上し、二次燃焼室６０においては、火炎燃焼を開始可能な温度域および酸素濃度域を拡大できる。
【００３２】
一次燃料供給部（燃料供給部）７０は、例えばノズルを有するインジェクタ等の燃料噴射装置で構成され、一次燃焼室５８に燃料を霧状にして供給する。着火部７２は、例えばグロープラグ等の着火装置で構成され、燃料の着火温度以上に加熱されて、着火部７２の熱で気化した燃料と空気混合気とを着火する。
【００３３】
燃料保持部７２ａは、着火部７２近傍、例えば、着火部７２の一端を覆う位置に配置され、例えば、金網、焼結金属、金属繊維、ガラス布、セラミック多孔体、セラミックファイバ、軽石等の多孔体で形成され、孔５２ｂから空気混合気が導かれるとともに、一次燃料供給部７０から供給された燃料が燃焼されるまで、当該燃料を一時的に保持する。ここで、燃料保持部７２ａは、多孔体として形成された触媒であってもよい。
【００３４】
邪魔板７４は、例えば矩形の板材で構成され、一端が外壁５０の閉塞面に固定され、他端側が孔５２ｂに対向する位置に配される。邪魔板７４は、孔５２ｂを通って一次燃焼室５８へ流入する空気混合気が、着火部７２に直接衝突する流れを防ぐ。かかる構成により、着火部７２付近の空気混合気の流速を抑制でき、着火性が向上する。
【００３５】
二次燃料供給部７６は、一次燃料供給部７０同様、例えばインジェクタ等の燃料噴射装置で構成され、二次燃焼室６０内に燃料を霧状にして供給する。本実施形態において、二次燃料供給部７６は、一次燃料供給部７０より燃料の定格噴射量が多い。二次燃焼室６０内では、一次燃焼室５８で発生した種火を増幅するために、二次燃料供給部７６によってさらに燃料が噴射され、排気ガスを巻き込みながら空気混合気の燃焼を促進する。このとき、排気流路６に突出した保炎板５２ａは、二次燃焼室６０の上流に位置し、排気ガスが排気流路６から二次燃焼室６０に直接流入するのを防止する。こうして、二次燃焼室６０において安定的な燃焼が維持される。
【００３６】
そして、昇温後の高温の空気混合気は、排気流路６に流出し、当該バーナ装置７に流入しなかった排気ガスと混ざり合うことで排気ガスの温度を高める。こうして、ディーゼル酸化触媒部９を活性温度に昇温し、ディーゼルパティキュレートフィルタ１０においてフィルタ再生処理を行うことが可能となる。
【００３７】
ところで、バーナ装置７の運転開始時には、一次燃料供給部７０が予め定められた少量（第１噴射量）の燃料を噴射して燃焼を開始する。そして、一次燃料供給部７０が第１噴射量の燃料を噴射している間に、バーナ温度検出部７８によって、一次燃焼室５８内または二次燃焼室６０内（本実施形態においては一次燃焼室５８内）の温度を検出し、温度が予め定められた第１閾値以上となると、燃料が着火された（火炎が生成された）とみなされ、一次燃料供給部７０および二次燃料供給部７６の噴射量を調整して最終的に定格噴射量とする。以下では、バーナ装置７における燃料噴射のタイミングを示す燃料噴射方法を具体的に説明する。
【００３８】
（燃料噴射方法）
図４は、セタン価が高い場合の燃料噴射タイミングを説明するためのフローチャートであり、図５は、セタン価が高い場合の燃料噴射タイミングを説明するためのタイミングチャートである。以下、図４および図５を参照して運転開始時の詳細な動作を説明する。ここで、セタン価は、燃料の着火性を示し、セタン価が高いほど自発的に着火し易く、セタン価が低いと着火し難い。バーナ装置７の運転が開始されると、まず、着火部７２がＯＮされ（Ｓ２００）、図５（ａ）に示すように、着火部７２によってバーナ装置７の外壁５０、特に一次燃焼室５８および二次燃焼室６０に対応した部位が予熱される。
【００３９】
着火部７２がＯＮされてから、例えば、３０秒後に（Ｓ２０２におけるＹＥＳ）、気体供給部６２は、空気の供給を開始し、図５（ｂ）のように、一次燃焼室５８に空気混合気が導入される（Ｓ２０４）。空気混合気が導入されてから、例えば、１０秒後に（Ｓ２０６におけるＹＥＳ）、一次燃料供給部７０は、図５（ｃ）のように、第１噴射量の燃料を噴射して燃焼を開始する（Ｓ２０８）。すると、図５（ｄ）のように、バーナ温度検出部７８で検出されたバーナ装置７の温度が気化熱により少し下降した後、燃焼に応じて上昇する。
【００４０】
続いて、バーナ装置７の温度が監視され（Ｓ２１０）、バーナ装置７の温度が第１閾値以上となると（Ｓ２１０におけるＹＥＳ）、燃料が着火された（火炎が生成された）とみなされ、図５（ｃ）のように、一次燃料供給部７０の噴射量を定格噴射量である第２噴射量とするとともに、図５（ｅ）のように、二次燃料供給部７６の噴射を開始し、噴射量を定格噴射量とする（Ｓ２１２）。
【００４１】
このとき、一次燃料供給部７０および二次燃料供給部７６は、一度に第２噴射量および定格噴射量とせず、所定の傾斜に沿って漸増させる。これは、燃料の急な増加により未燃の燃料を排出させないためである。ここで、図５（ｃ）および図５（ｅ）のように、一次燃料供給部７０の傾斜が二次燃料供給部７６の傾斜より角度が大きいのは、一次燃焼室５８が二次燃焼室６０より暖まり易く、傾斜角を大きくしても未燃の燃料が排出されないからである。
【００４２】
その後は、ＰＩＤ（Proportional Integral Differential）制御を通じ、バーナ装置７の温度が目標温度となるように、一次燃料供給部７０および二次燃料供給部７６の噴射量が微調整され（Ｓ２１４）、図５（ｆ）のように、排気流路６（ディーゼル酸化触媒部９の入口）の安定した温度推移を得ることができる。こうして、ディーゼル酸化触媒部９を活性温度に昇温することができる。
【００４３】
ただし、上記のようにバーナ装置７の温度が第１閾値以上となったことを契機に、一義的に、一次燃料供給部７０や二次燃料供給部７６の燃料の噴射量が増加し始めると、セタン価の低い燃料を用いた場合に、未燃の燃料が排出されるおそれがある。
【００４４】
図６は、セタン価が低い場合の燃料噴射タイミングを説明するためのタイミングチャートである。図６のタイミングチャートは、セタン価が異なることに関する推移以外、図５のタイミングチャートと実質的に等しいので、ここでは、その詳細な説明を省略し、セタン価が異なることに関する推移の説明のみ行う。
【００４５】
図６では、図５同様、バーナ装置７の運転が開始され、バーナ装置７の温度が第１閾値以上となると、燃料が着火されたとみなされ、図６（ｃ）のように、一次燃料供給部７０の噴射量を定格噴射量である第２噴射量とするとともに、図６（ｅ）のように、二次燃料供給部７６の噴射を開始する。しかし、セタン価が低い燃料は、セタン価の高い燃料と比較して、昇温速度が相対的に低くなるので、図６（ｆ）のように排気流路６の温度勾配が小さくなり、燃料を十分に燃焼させる温度（第２閾値）に達するのに時間を要する。
【００４６】
すると、十分に昇温されていない状態で、図６（ｃ）や図６（ｅ）のように、一次燃料供給部７０および二次燃料供給部７６から定格噴射量の燃料が噴射されると、セタン価が低いことにより、ハッチングで示した燃料が未燃分として排出されてしまい、白煙が生じることもある。ここでは、未燃の燃料の排出を抑制するように、一次燃料供給部７０および二次燃料供給部７６の噴射タイミングを調整する。
【００４７】
図７は、セタン価が低い場合の他の燃料噴射タイミングを説明するためのフローチャートであり、図８は、セタン価が低い場合の他の燃料噴射タイミングを説明するためのタイミングチャートである。図７のフローチャートおよび図８のタイミングチャートは、一次燃料供給部７０および二次燃料供給部７６の噴射タイミング以外、図４のフローチャートおよび図６のタイミングチャートと実質的に等しいので、ここでは、その詳細な説明を省略し、一次燃料供給部７０および二次燃料供給部７６の噴射タイミングの説明のみ行う。
【００４８】
ここでは、図４および図６同様、バーナ装置７の運転が開始され、バーナ装置７の温度が第１閾値以上となると（Ｓ２１０におけるＹＥＳ）、燃料が着火されたとみなされる。ただし、一次燃料供給部７０の噴射量は、そのまま第１噴射量を維持し、二次燃料供給部７６は噴射を開始しない。そして、第１噴射量の燃料のみでバーナ装置７の外壁５０を予熱する。ここでは、燃料のセタン価が低いので、図８（ｆ）に示すように、排気流路６の温度は徐々にしか上昇しないが、時間の経過に伴って排気流路６の温度も燃料を十分に燃焼させる温度に上昇する。
【００４９】
このとき、バーナ装置７では、バーナ装置７の温度が第１閾値以上となってからタイマ（不図示）を作動させ経過時間を計る（Ｓ２５０）。そして、図８（ｃ）に示すように、経過時間が予め定められた待機時間ｔ１を超えると（Ｓ２５２におけるＹＥＳ）、一次燃料供給部７０の噴射量を定格噴射量である第２噴射量とするとともに、図８（ｅ）のように、二次燃料供給部７６の噴射を開始する（Ｓ２１２）。
【００５０】
かかる構成により、排気流路６の温度が燃料を十分に燃焼させる温度まで上昇した後に、一次燃料供給部７０および二次燃料供給部７６の燃料を増加するので、未燃の燃料が排出されることもなくなる（または、未燃の燃料の排出量が極めて少なくなる）。
【００５１】
また、上述した待機時間ｔ１は、燃料のセタン価に基づいて決定される。したがって、セタン価と待機時間ｔ１との対応関係をテーブル化したり関数で表すことで、燃料のセタン価を予め把握できれば、バーナ装置７に待機時間ｔ１を容易に設定することができる。
【００５２】
こうして、燃料のセタン価に応じた適切な待機時間ｔ１に基づいて、一次燃料供給部７０および二次燃料供給部７６の燃料の噴射タイミングを設定することができ、未燃の燃料の排出を最小限に抑えることが可能となる。
【００５３】
また、セタン価の異なる燃料を混合したり、任意のセタン価の燃料から、セタン価の異なる燃料に交換したりすることで、バーナ装置７の運転条件が変化する場合もありうる。この場合、流路温度検出部８を利用してセタン価を推定し、待機時間ｔ１を自動的に設定することもできる。セタン価は、着火性を表し、昇温速度に反映されるので、流路温度検出部８が検出した温度の推移、具体的には、温度の上昇勾配に対応している。したがって、流路温度検出部８が検出した温度の温度上昇の微分値に基づく任意の漸増関数によってセタン価を推測でき、それに伴って待機時間ｔ１を自動的に設定することが可能となる。
【００５４】
また、バーナ装置７の温度が第１閾値以上となってから待機時間ｔ１が経過するのを待つ代わりに、流路温度検出部８を用いて、排気流路６の温度に基づき、一次燃料供給部７０および二次燃料供給部７６の燃料の噴射タイミングを決定することもできる。
【００５５】
図９は、セタン価が低い場合の他の燃料噴射タイミングを説明するためのフローチャートであり、図１０は、セタン価が低い場合の他の燃料噴射タイミングを説明するためのタイミングチャートである。図９のフローチャートおよび図１０のタイミングチャートは、一次燃料供給部７０および二次燃料供給部７６の噴射タイミング以外、図７のフローチャートおよび図８のタイミングチャートと実質的に等しいので、ここでは、その詳細な説明を省略し、一次燃料供給部７０および二次燃料供給部７６の噴射タイミングの説明のみ行う。
【００５６】
ここでは、バーナ装置７の運転が開始され、バーナ装置７の温度が第１閾値以上となっても、図８（ｃ）同様、一次燃料供給部７０の噴射量は、そのまま第１噴射量を維持し、二次燃料供給部７６は噴射を開始しない。そして、第１噴射量の燃料のみでバーナ装置７の外壁５０を予熱する。ここでも、燃料のセタン価が低いので、図１０（ｆ）に示すように、排気流路６の温度は徐々にしか上昇しないが、時間の経過に伴って排気流路６の温度も燃料を十分に燃焼させる温度に上昇する。
【００５７】
バーナ装置７では、図８のように経過時間を計るタイマを用いず、流路温度検出部８により排気流路６の温度を監視し、排気流路６の温度が予め定められた第２閾値以上であるか否か判定する（Ｓ２６０）。図１０（ｆ）に示すように、排気流路６の温度が第２閾値以上となると（Ｓ２６０におけるＹＥＳ）、図１０（ｃ）のように、一次燃料供給部７０の噴射量を定格噴射量である第２噴射量とするとともに、図１０（ｅ）のように、二次燃料供給部７６の噴射を開始する（Ｓ２１２）。
【００５８】
かかる構成により、排気流路６の温度が燃料を十分に燃焼させる温度まで上昇したことを直接判断でき、正確にその温度に達した後、一次燃料供給部７０および二次燃料供給部７６の燃料を増加するので、未燃の燃料が排出されることもなくなる。
【００５９】
また、排気流路６の温度が燃料を十分に燃焼させる温度まで上昇したことを直接判断しているので、燃料のセタン価が異なり排気流路６の温度推移が変化した場合であっても、待機時間ｔ１等の設定変更すべきパラメータがない。したがって、セタン価の異なる燃料に対する汎用性を有していることとなる。
【００６０】
以上説明したように、本実施形態の排気システムおよび燃料噴射方法によれば、セタン価に拘わらず、未燃の燃料の排出を低減することが可能となる。また、未燃の燃料が低減されることで、未燃の燃料による冷却効果も小さくなり、ディーゼル酸化触媒部９を活性温度に効率よく昇温し、ディーゼルパティキュレートフィルタ１０においてフィルタ再生処理を迅速かつ安定的に行うことが可能となる。
【００６１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６２】
なお、本明細書の燃料噴射方法の各工程は、必ずしもフローチャートとして記載された順序に沿って時系列に処理する必要はなく、並列的あるいはサブルーチンによる処理を含んでもよい。
【産業上の利用可能性】
【００６３】
本発明は、排気流路を流れる排気ガスに、バーナ装置で昇温された気体を混合し、触媒の酸化を補助する排気システム、および、その排気システムにおいてバーナ装置で燃料を噴射する燃料噴射方法に利用することができる。
【符号の説明】
【００６４】
１     …ディーゼルエンジン（エンジン）
６     …排気流路
７     …バーナ装置
８     …流路温度検出部
９     …ディーゼル酸化触媒部（酸化触媒部）
１０   …ディーゼルパティキュレートフィルタ（パティキュレートフィルタ）
５８   …一次燃焼室
６０   …二次燃焼室
７０   …一次燃料供給部（燃料供給部）
７６   …二次燃料供給部
７８   …バーナ温度検出部
【図１】
2014047699.tif 000003
【図２】
2014047699.tif 000004
【図３】
2014047699.tif 000005
【図４】
2014047699.tif 000006
【図５】
2014047699.tif 000007
【図６】
2014047699.tif 000008
【図７】
2014047699.tif 000009
【図８】
2014047699.tif 000010
【図９】
2014047699.tif 000011
【図１０】
2014047699.tif 000012